(57)【特許請求の範囲】
【請求項１】
基端が支持部に固定され、先部に磁気ヘッドが取り付けられた板ばねと、前記磁気ヘッドのコイル部に導通される配線部材とが設けられ、前記板ばねと前記配線部材が基端部以外の部分で自由に接近離反可能なように互いに離されており、前記板ばねと配線部材との間には、前記板ばねの変形方向へ互いに所定範囲の自由度を有し、且つ前記範囲以上に板ばねと配線部材とが離れるのを規制する掛合部が設けられており、
また前記支持部から板ばねの先部方向に延び、前記板ばねの変形を許容できるように前記板ばねと掛合される支持アームが設けられており、
前記板ばねが前記配線部材から離れる方向に変形したとき、前記掛合部により、前記板ばねと前記配線部材とが前記範囲以上に離れるのを規制され、
前記板ばねがさらに前記配線部材から離れる方向に変形したとき、前記配線部材は前記板ばねと離反状態を保ちながら前記板ばねの変形方向に追従し、さらに前記板ばねと前記支持アームとが掛合されることにより、前記板ばねの変形が規制されることを特徴とする磁気ヘッド装置。
【請求項２】
前記掛合部は、磁気ヘッドの取付部近傍と、これよりも前記基端側に設けられている請求項１記載の磁気ヘッド装置。
【請求項３】
前記配線部材に補強板が接合され、前記掛合部がこの補強板の部分に設けられている請求項１または２記載の磁気ヘッド装置。
【請求項４】
掛合部では、板ばねの一部が折り曲げられ、この折曲部が配線部材に掛けられている請求項１ないし３のいずれかに記載の磁気ヘッド装置。
【発明の詳細な説明】
【０００１】
【発明の属する技術分野】
本発明は、光磁気ディスク装置などに使用される磁気ヘッド装置に係り、特に磁気ヘッドに接続される配線部材が、磁気ヘッドを支持する板ばねの支持剛性に影響を与えないようにした磁気ヘッド装置に関する。
【０００２】
【従来の技術】
ディスクに対向する磁気ヘッドを支持する磁気ヘッド装置の一般的な構造は、板ばねの先部に磁気ヘッドが取り付けられて、磁気ヘッドが前記板ばねの弾性力でディスク表面に接触させられる。前記板ばねの基端部はヘッドベースに支持され、このヘッドベースが駆動されることにより、前記磁気ヘッドがディスクの半径方向へ走査させられる。
また、前記ヘッドベース側から配線部材を延ばし、この配線部材を磁気ヘッドのコイルに電気的に接続することが必要である。前記配線部材は、最近ではフレキシブル基板（ＦＰＣ）により形成されることが多い。
【０００３】
この種の磁気ヘッド装置では、ディスクの回転時に、磁気ヘッドがディスク表面の面振れに追従する挙動を前記板ばねの変形で許容している。また前記ＦＰＣを板ばねに直接に固定してしまうと、ＦＰＣの剛性が板ばねの弾性に影響を与え、板ばねによる磁気ヘッドの支持剛性が強くなりすぎる。したがって、ＦＰＣを板ばねに直接に固定せず、ＦＰＣを板ばねから分離させておくことが好ましい。
しかし、前記板ばねは非常に弱いものであるため、装置に外部衝撃が与えられると、磁気ヘッドに与えられる加速度により磁気ヘッドが大きく動き、板ばねに大きな曲げ力が作用する。この場合、前記のように板ばねとＦＰＣとを分離させておくと、磁気ヘッドの衝撃的な挙動により、磁気ヘッドとＦＰＣとの接続を分離する力が作用し、ＦＰＣと磁気ヘッドとの接続不良が発生するおそれがある。
【０００４】
図９は、上記の問題点を解決した、従来のミニディスク（ＭＤ）用の磁気ヘッド装置の断面図を示している。この磁気ヘッド装置では、板ばね４１の先部にスライダ４２とコア４３とが固定され、前記コア４３に対してコイルが巻かれたボビン４４がわずかに可動状態に装着され、このボビン４４の端子４６，４６がＦＰＣ４５のランド部に直接に半田付けされている。
【０００５】
上記の構造では、スライダ４２とコア４３がディスクの面振れに追従するときに、スライダ４２が主に板ばね４１の剛性（弾性）のみにより支持され、スライダ４２に固定されたコア４３に対してボビン４４が可動状態であることにより、このボビン４４に接続されたＦＰＣ４５の剛性が前記スライダ４２の挙動に直接に影響を与えないものとなっている。しかも外部衝撃などにより磁気ヘッドおよび板ばね４１に大きな加速度が作用したとしても、ボビン４４とＦＰＣ４５とが端子４６を介して強固に接続されているため、ボビン４４とＦＰＣ４５との接続部が分離されることがない。
しかも、衝撃によるスライダ４２の挙動を、板ばね４１とＦＰＣ４５の双方の剛性により支えることができるため、磁気ヘッド装置全体として耐衝撃性に優れたものとなる。
【０００６】
【発明が解決しようとする課題】
しかしながら、上記のような支持および配線構造は、ＭＤ用などのように比較的大きな磁気ヘッドでは可能であるが、例えばＭＯ用の浮上式磁気ヘッド装置などでは前記構造を採用することは難しい。
すなわち、ＭＯ用などの磁気ヘッドは小型でありしかもコイルの巻線密度が高いため、コイルが巻かれたボビンをコアに対して可動状態とすることが不可能である。またコイルそのものが小さいため、ＭＤ用のようにボビンとＦＰＣを直接接続するという構造をとることができず、コイルの巻線をリード線として延ばし、このリード線をＦＰＣのランド部に接続することが必要である。
【０００７】
上記のような構造で、板ばねとＦＰＣとを分離しておくと、外部衝撃で磁気ヘッドが動いたときに、前記リード線を介して接続されている磁気ヘッドとＦＰＣとが容易に分断されやすいという問題がある。しかし、板ばねとＦＰＣとを接着などで固定してしまうと、磁気ヘッドの支持剛性がＦＰＣの剛性により影響される。一般にＭＯ用などの磁気ヘッドに与えられる静荷重は数ｍＮ（ミリニュートン）ときわめて弱いことが必要であるため、前記のようにＦＰＣの支持剛性が磁気ヘッドに影響を与えると、前記静荷重に大きな影響が生じ、スライダのディスク面への追従性に問題が生じる。
【０００８】
また、きわめて薄く且つ細いＦＰＣを板ばねに接着固定し、このＦＰＣと磁気ヘッドのコイルとをリード線で結ぶことも考えられる。あるいは、板ばねに直接導体パターンを形成し、この導体パターンに磁気ヘッドのコイルのリード線を接続することも考えられる。しかし、このような構造では、外部衝撃により磁気ヘッドに加速度が作用したときに、この衝撃を非常に弱い板ばね（および非常に弱いＦＰＣ）のみで受けることになり、磁気ヘッド装置としての耐衝撃性を高めることができない。
本発明は上記従来の課題を解決するものであり、磁気ヘッドに接続される配線部材が板ばねの支持弾性に影響を与えることがなく、しかも磁気ヘッドと配線部材との分離を防止でき、さらに全体の支持剛性を高め耐衝撃性を高めることが可能な磁気ヘッド装置を提供することを目的としている。
【０００９】
【課題を解決するための手段】
本発明は、基端が支持部に固定され、先部に磁気ヘッドが取り付けられた板ばねと、前記磁気ヘッドのコイル部に導通される配線部材とが設けられ、前記板ばねと前記配線部材が基端部以外の部分で自由に接近離反可能なように互いに離されており、前記板ばねと配線部材との間には、前記板ばねの変形方向へ互いに所定範囲の自由度を有し、且つ前記範囲以上に板ばねと配線部材とが離れるのを規制する掛合部が設けられており、
また前記支持部から板ばねの先部方向に延び、前記板ばねの変形を許容できるように前記板ばねと掛合される支持アームが設けられており、
前記板ばねが前記配線部材から離れる方向に変形したとき、前記掛合部により、前記板ばねと前記配線部材とが前記範囲以上に離れるのを規制され、
前記板ばねがさらに前記配線部材から離れる方向に変形したとき、前記配線部材は前記板ばねと離反状態を保ちながら前記板ばねの変形方向に追従し、さらに前記板ばねと前記支持アームとが掛合されることにより、前記板ばねの変形が規制されることを特徴とするものである。
【００１０】
上記手段では、磁気ヘッドに大きな衝撃が加わり、板ばねが変形したときに、板ばねと配線部材とが互いに所定範囲以上離れるのを防止でき、磁気ヘッドのコイル部と配線部材とが分離するのを防止できる。また、前記衝撃による磁気ヘッドの挙動は、板ばねと配線部材の双方の剛性で受けることができ、磁気ヘッド装置全体として耐衝撃性の優れたものとなる。
しかも、磁気ヘッドがディスクの面振れに追従するときには、磁気ヘッドを板ばねの弾性のみで支持でき、ＦＰＣなどの配線部材が磁気ヘッドの支持剛性に影響を与えることがなく、ディスクの面振れに対する磁気ヘッドの追従機能を高めることができる。
また上記手段では、板ばねと配線部材との掛合いに、さらに支持アームを設け、この支持アームに板ばねが掛合されているため、板ばねと支持アームの過度な変形が支持アームにより抑えられるようになる。
【００１１】
また前記掛合部は、磁気ヘッドの取付部近傍と、これよりも前記基端側に設けられていることが好ましい。
上記のように、掛合部を磁気ヘッドの取付部近傍と、それよりも基端側の少なくとも２ヶ所に設けることにより、磁気ヘッドの取付部近傍での板ばねと配線部材との分離を防止できて磁気ヘッドの配線部での不良の発生を防止できる。また外部衝撃により板ばねが大きく変形するときには、板ばね全体の曲げに配線部材の曲げが追従し、磁気ヘッドの挙動を板ばねと配線部材の剛性で受けることができ、全体として耐衝撃性を高めることができる。
【００１２】
また前記配線部材に、補強板が接合され、前記掛合部がこの補強板の部分に設けられていることが好ましい。
上記手段によれば、板ばねと補強板とが掛合しているため、板ばねと配線部材との掛合が外れにくくなる。また配線部材の剛性が高くなるため、磁気ヘッドの支持構造全体として耐衝撃性を高めることができる。
また掛合部が２ヶ所以上設けられている場合には、それぞれの掛合部に掛かる補強板を一体に形成してもよいし、各掛合部に別々の補強板を接合してもよい。
【００１４】
前記掛合部では、板ばねの一部が折り曲げられ、この折曲部が配線部材に掛けられるように形成することが好ましい。
例えば、板ばねの一部が折り曲げられて形成される折曲部を略Ｔ字状に形成し、前記折曲部を配線部材に形成された穴に通す。この場合板ばねが大きく変形しようとした場合でも折曲部の上部の突設した部分が配線部材に掛かることにより所定範囲以上板ばねが変形することが抑えられる。あるいは、板ばねの一部を折り曲げ且つこの折曲部に挿通口を形成し、配線部材の一部を前記挿通口に通すことにより、掛合部を形成してもよい。
このような折曲部は、板ばねを直接折り曲げて形成してもよく、あるいは折曲部を別部材で形成し、これを板ばねに貼り付けて形成してもよい。また折曲部の形状は種々変更することができる。
【００１５】
【発明の実施の形態】
以下、本発明の磁気ヘッド装置を図面を参照して説明する。
図１は本発明の第１の形態の磁気ヘッド装置を示す平面図、図２はその側面図、図３（Ａ）は先端部の拡大平面図、図３（Ｂ）はその側面図、図４は本発明の第２の形態の磁気ヘッド装置を示す平面図、図５はその掛合部を示す斜視図、図６は本発明の第３の形態の磁気ヘッド装置を示す一部省略平面図、図７はその掛合部を示す斜視図、図８は本発明の第４の形態の磁気ヘッド装置を示す一部省略平面図である。
【００１６】
図１に示すように、本発明の磁気ヘッド装置１は、マウント部（支持部）２、板ばね３、磁気ヘッド４、配線部材５および支持アーム６で形成されている。
この磁気ヘッド装置１は、板ばね３の基端がマウント部２に固定され、先端に磁気ヘッド４が取り付けられている。この板ばね３は磁気ヘッド４を上下動可能に弾性支持できるように薄板で形成されている。また板ばね３の上部には配線部材５が設けられ、さらに上部には基端がマウント部２に固定され、またはマウント部２と一体に形成された支持アーム６が設けられている。
板ばね３の長手方向の中央部よりもやや先端寄りには、板ばね３が配線部材５方向へ折り曲げられて突設した掛合部９が略Ｔ字状に形成されている。なお、掛合部９は別個に形成した掛合部９を板ばねに貼り付けて形成してもよい。
【００１７】
マウント部２は、ヘッドベースなどの駆動部（図示せず）への取付部分であり、このマウント部２に板ばね３の基端部が接着などで固定されている。板ばね３の先端には基端部方向へ延びるヘッド取付部７が形成され、このヘッド取付部７は、一対のアーム部７ａ，７ｂにより板ばね３の先端部に一体に連結されている。アーム部７ａと７ｂの間は切欠部３ｂであり、ヘッド取付部７の周囲にも切欠部３ａが形成されている。このヘッド取付部７は前記板ばね３と一体に形成されたフレキシャとして機能しており、その下面に磁気ヘッド４が接着されて固定されている。また前記ヘッド取付部７の基端側には配線部材５の方向へ折り曲げられたアーム掛合部８が一体に形成されている。
【００１８】
配線部材５は、フレキシブルな基板に配線パターンが設けられたものであり、図３に示すように書き込み用と読み込み用の配線パターン５ａ，５ｂがそれぞれ形成されている。この配線部材５の基端は、板ばね３の基端部およびマウント部２上に接着されて固定されている。また図３（Ａ）（Ｂ）に示すように、配線部材５の先端は、前記ヘッド取付部７上まで延びており、前記配線パターン５ａ，５ｂと前記磁気ヘッド４に設けられたコイル部から延びるワイヤＷとが半田付けなどにより接続されている。なお、配線部材５はその基端が板ばね３の基端部およびマウント部２に接着固定されているが、それ以外の部分は図３に示す先端部まで板ばね３とは固定されておらず、自由状態である。
【００１９】
なお、磁気ヘッド４は、前記ヘッド取付部７に接着されるスライダと、このスライダに取り付けられたコアと、このコアに巻かれたコイル部とから構成されている。なお、スライダに薄膜構造の記録・再生部が設けられたものであってもよい。そして前記コイル部の巻線の一部が導出されて前記ワイヤＷとなっている。また配線部材５には、前記掛合部９が挿通可能な挿通口１１ａを有する掛止部１１が形成されている。この場合の掛止部１１は配線部材５と一体に形成してもよく、あるいは別部材で構成された掛止部１１が前記配線部材５に貼り付けられてもよい。掛合部９はＴ字形状であり、その首部が挿通口１１ａに挿通され、頭部が掛止部１１の上に位置している。この掛合部９と掛止部１１との掛合では、板ばね３と配線部材５とが所定の範囲内で互いに自由に接近離反でき、しかも前記所定の範囲以上の動きについては、板ばね３の変形に配線部材５が追従するようになる。
【００２０】
上記構造では、掛合部９と掛止部１１との掛止により、板ばね３と配線部材５とが所定範囲以上に離れることがないため、外部衝撃により磁気ヘッド４が大きく動き、板ばね３が変形したときに配線部材５がこれに追従する。よって、ワイヤＷと配線部材５との接続部に過大な引き剥がし力が作用するとがなく、断線のおそれがない。また、磁気ヘッド４に衝撃が作用したときには、この衝撃による挙動が前記板ばね３と配線部材５の双方の剛性により受けられるため、耐衝撃性に優れたものとなる。
【００２１】
記録動作などの際には、磁気ヘッド４がディスクの表面の空気流により浮上姿勢となるが、このときは板ばね３の弾性力が磁気ヘッド４に作用し、配線部材５の剛性はこの支持系と独立しているため、配線部材５の剛性により前記浮上姿勢に悪影響を与えることがない。
【００２２】
さらに前記ヘッド取付部７からの折り曲げられたアーム掛合部８の先部８ａが鉤状に曲げられ、この鉤部が支持アーム６の先端部に対して上方へ一定の間隔で対向している。よって、外部衝撃により板ばね３が大きく撓み、さらに配線部材５がこれに追従して撓んだときに、前記アーム掛合部８の先部８ａが支持アーム６に掛止されることになり、板ばね３と配線部材５に過大な曲げ力が作用するのを防止できる。
【００２３】
図４と図５は、第２の形態の磁気ヘッド装置１０を示す。この磁気ヘッド装置１０は、前記図１から図３に示した磁気ヘッド装置１と、配線部材１５に設ける掛止部１２の形状と板ばね１３に形成された掛合部１９の形状が異なり、その他のマウント部２、支持アーム６、板ばね１３、ヘッド取付部１７、アーム掛合部８などは、図１ないし図３に示した磁気ヘッド装置１と同じに形成されている。
図４に示す掛止部１２は、板ばね１３の先端方向に向けて鉤状に形成されている。この掛止部１２は、配線部材１５と一体に形成されていてもよいし、あるいは配線部材１５と別部材で形成して配線部材１５に貼り付けてもよい。
【００２４】
掛合部１９は、板ばね１３から折り曲げられ、その折曲部分に挿通口１９ａが形成されている。前記挿通口１９ａに前記掛止部１２の先端が挿通され、板ばね１３と配線部材１５とが互いに自由度を有して、互いに一定距離以上離れないように掛合している。
この場合の前記掛合部１９は、板ばね１３から直接切り起こして形成してもよく、あるいは別部材で形成したものを板ばね１３に貼り付けてもよい。
【００２５】
図６と図７は、第３の形態の磁気ヘッド装置２０を示す。この磁気ヘッド装置２０は、板ばね２３、磁気ヘッド４、配線部材２５とで形成され、図示しないマウント部に板ばね２３の基端が固定されており、また板ばね２３の先端にはフレキシャとして機能するヘッド取付部２７が形成され、その下面に磁気ヘッド４が取り付けられている。また板ばね２３の上方には配線部材２５が設けられている。配線部材２５の基端は、板ばね２３の基端部およびマウント部に接着固定され、それ以外の部分で配線部材２５が自由状態である。
【００２６】
前記ヘッド取付部２７の基端側には、配線部材２５の方向へ折り曲げられた掛合部２２が形成されている。この掛合部２２には図７に示すような挿通口２２ａが形成されている。また板ばね２３の前記掛合部２２よりも基端側には、配線部材２５の方向へ折り曲げられて突設した略Ｔ字状の掛合部２１が形成されている。
【００２７】
配線部材２５の先端部は板ばね２３に対して自由な状態であり、この配線部材２５上に形成されている導体パターンのランド部に、磁気ヘッド４のコイル部から延びるワイヤＷが接続されている。
【００２８】
配線部材２５には、補強板２４が設けられている。補強板２４は、薄い金属板や樹脂板などであり、配線部材２５となるフレキシブル基板に接着されている。補強板２４には掛止部２８が形成され、この掛止部２８には挿通口２８ａが形成されている。また補強板２４には先端方向へ延びる掛止部２６が設けられている。掛止部２８の挿通口２８ａには、板ばね２３から曲げられた掛合部２１の首部が挿通され、前記掛止部２６は、前記掛合部２２の挿通口２２ａに挿入されている。
【００２９】
上記磁気ヘッド装置２０では、板ばね２３と配線部材２５とが、磁気ヘッド４の取付部の近傍、およびこれよりも基端側の２ヶ所において、互いに自由度を有し、しかも所定範囲以上離れないように互いに掛合している。よって、ヘッド取付部の近傍での掛合により、板ばね２３と配線部材２５との離れを防止できて、ワイヤＷの接続部の断線を防止できる。また板ばねの変形については、配線部材２５が２ヶ所で掛合しているため、配線部材２５の追従性が良好になる。
または配線部材２５の掛止部は補強板２４で補強されているため、板ばねとの掛止強度が高くなる。また配線部材の剛性が高くなり、磁気ヘッド４が衝撃的な挙動を示したときに、剛性の高い配線部材２５と板ばね２３とでその挙動を抑制することができる。
【００３０】
図８は、第４の形態の磁気ヘッド装置３０を示す。この磁気ヘッド装置３０は、板ばね３３、磁気ヘッド４、配線部材３５で形成され、図示しないマウント部に板ばね３３の基端が固定され、先端のヘッド取付部３７に磁気ヘッド４が取り付けられている。さらに板ばね３３の上方に配線部材３５が設けられている。この場合の配線部材３５は板ばね３３のほぼ中心を通って直線状に形成されている。
【００３１】
板ばね３３の先端では、ヘッド取付部３７の下面に磁気ヘッド４が取り付けられている。ヘッド取付部３７の基端は、さらに配線部材３５方向へ折り曲げられて掛合部３２が形成されている。この掛合部３２には挿通口３２ａが形成され、且つ配線部材３５が挿通可能な幅で形成さている。また板ばね３３の前記掛合部３２よりも基端側には、板ばね３３が配線部材３５方向に折り曲げられて掛合部３１が形成されている。この掛合部３１は挿通口３１ａが形成され、配線部材３５が挿通可能な幅で形成されている。
この場合、前記掛合部３１，３２の挿通口３１ａ，３２ａを通る部分で、剛性の高い補強部材を配線部材３５に積層して形成してもよく、配線部材３５の前記部分を樹脂などで被覆して剛性を高めるようにしてもよい。
【００３２】
上記のような磁気ヘッド装置３０は、掛合部３１，３２により板ばね３３と配線部材３５とが所定範囲以上離れることがなく、特に先端側の掛合部３２によって磁気ヘッドのワイヤＷと配線部材３５との接合部の離れを防止できる。
本発明の磁気ヘッド装置は、上記した実施の形態に限られるものではなく、例えば配線部材および補強板の形状、掛合部の形状および位置は適宜変更することができ、また浮上型ヘッドだけでなく摺動型のヘッドにも適用することができ、また、ＭＯ用の磁気ヘッド装置に限られず、ハードディスク用などの磁気ヘッドにも実施可能である。
【００３３】
【発明の効果】
本発明の磁気ヘッド装置は、磁気ヘッドに大きな衝撃が加わった場合でも、板ばねの変形が所定範囲内に規制されることにより、弾性部材の剛性によって板ばねが大きく変形することがない。それによって磁気ヘッドと配線部材とがワイヤのみで接続されていても断線が発生するおそれがない。
また、配線部材が板ばねの基端部で固定され且つ先端部ではワイヤのみで接続されているため、ディスクの面振れによって磁気ヘッドが上下動する場合でも磁気ヘッドの追従性が損われることがない。
【図面の簡単な説明】
【図１】本発明の第１の形態の磁気ヘッド装置を示す平面図、
【図２】図１の磁気ヘッド装置を示す側面図、
【図３】（Ａ）（Ｂ）は、磁気ヘッド装置の先端を示す拡大平面図と側面図、
【図４】本発明の第２の形態の磁気ヘッド装置を示す平面図、
【図５】第２の形態の磁気ヘッド装置を示す一部省略斜視図、
【図６】第３の形態の磁気ヘッド装置を示す一部省略平面図、
【図７】第３の形態の磁気ヘッド装置を示す一部省略斜視図、
【図８】第４の形態の磁気ヘッド装置を示す一部省略平面図、
【図９】従来の磁気ヘッド装置の先端部を示す断面図、
【符号の説明】
Ｗ  ワイヤ
１  磁気ヘッド装置
２  マウント部
３，１３，２３，３３  板ばね
４  磁気ヘッド
５，１５，２５，３５  配線部材
６  支持アーム
７  ヘッド取付部
８  アーム掛合部
９，１９，２１，２２，３１，３２  掛合部
１１，１２，２６，２８  掛止部
２４  補強板
【図１】
0003766545.tif 000002
【図２】
0003766545.tif 000003
【図３】
0003766545.tif 000004
【図４】
0003766545.tif 000005
【図５】
0003766545.tif 000006
【図６】
0003766545.tif 000007
【図７】
0003766545.tif 000008
【図８】
0003766545.tif 000009
【図９】
0003766545.tif 000010